(57)【特許請求の範囲】
【請求項１】
記録信号に応じた記録電流を生成する記録回路と、
該記録電流によって駆動され該記録信号に応じたデータを磁気記録媒体に記録する磁気ヘッドと、
データ長に応じた期間に亘って、該記録電流の電流値を、所定値を超えた状態に維持しながら、該所定値に漸近させるように該記録電流の波形を成形する波形成形部とをそなえてなることを特徴とする、磁気記録装置。
【請求項２】
記録信号に応じた記録電流を生成する記録回路と、
該記録電流によって駆動され該記録信号に応じたデータを磁気記録媒体に記録する磁気ヘッドと、
データ長に応じた期間に亘って、該記録電流の電流値を、所定値を超えた状態に維持しながら、該所定値に漸近させるように該記録信号の波形を成形する波形成形部とをそなえてなることを特徴とする、磁気記録装置。
【請求項３】
該記録電流のパルス幅を該データ長として検出するデータ長検出部をそなえたことを特徴とする、請求項１又は請求項２記載の磁気記録装置。
【請求項４】
該波形成形部と該記録回路とを同一基板上に形成したことを特徴とする、請求項１〜請求項３のいずれか１項に記載の磁気記録装置
【請求項５】
該波形成形部を集積回路としてそなえることを特徴とする、請求項１〜請求項４のいずれか１項に記載の磁気記録装置。
【請求項６】
記録電流によって駆動され記録信号に応じたデータを磁気記録媒体に記録する磁気ヘッドを駆動する磁気記録用集積回路であって、
該記録信号に応じた該記録電流を生成する記録回路と、
データ長に応じた期間に亘って、該記録電流の電流値を、所定値を超えた状態に維持しながら、該所定値に漸近させるように該記録電流の波形を成形する波形成形部とを一つのチップ上に集積して構成されたことを特徴とする、磁気記録用集積回路。
【発明の詳細な説明】
【０００１】
【発明の属する技術分野】
本発明は、例えば磁気ディスク，磁気テープ等の磁気記録媒体へのデータの記録に用いて好適な、磁気記録装置および磁気記録用集積回路に関する。
【０００２】
【従来の技術】
一般に、磁気ディスク装置やデジタルビデオテープレコーダ等の磁気記録装置において、データを磁気ディスクや磁気テープ等の磁気記録媒体に記録する際には、例えば上位装置から送信されたデータ（記録信号）を、アンプにより磁気記録媒体上で磁化反転を起こさせるに十分なレベルを超えるまで増幅した後、磁気ヘッドを用いて磁気記録媒体上に記録する。
【０００３】
ここで、アンプにより増幅された記録信号（記録電流）は、ほぼ矩形波をなし、データの符号（“０”もしくは“１”）によって正負（“−”もしくは“＋”）の反転を繰り返すものであり、記録電流が所定の磁化反転レベルを超えた時にその反転が行なわれるようになっている。
そして、記録信号の記録時においては、記録信号の振幅が大きくなるほどその反転に要する時間は長くなる。従来の磁気記録装置においては、この記録信号の磁気記録媒体への記録速度を向上させるために、記録信号の転送速度を速くするべく、なるべく立ち上がり時間の短いアンプを備え、このアンプに記録ヘッドを接続して使用し、又、オーバーシュートの制御を行なっている。
【０００４】
【発明が解決しようとする課題】
しかしながら、上述の如き従来の磁気記録装置においては、記録信号（記録電流）のセトリング部分は一定のレベルのままであり、記録信号の極性の反転に要する時間（立ち上がり時間および立ち下がり時間）を短縮することができない。
近年、記録信号の転送速度が著しく向上している一方で、記録信号の立ち上がり速度はそれほど向上していない。特に、記録信号の振幅が大きい場合にはその反転に時間がかかるので、例えば、記録信号の転送速度を高速にした場合に、記録信号の反転が完了する前、すなわち、記録電流が磁化反転レベルに達する前、に次の反転が開始され、磁気記録媒体への記録が不完全になるおそれがある。
【０００５】
本発明は、このような課題に鑑み創案されたもので、記録電流の立ち下がり時間および立ち下がり時間を短縮する工夫を施すことにより、記録信号を高速に転送することができるようにした、磁気記録装置および磁気記録用集積回路を提供することを目的とする。
【０００６】
【課題を解決するための手段】
このため、本発明の磁気記録装置は、記録信号に応じた記録電流を生成する記録回路と、記録電流によって駆動され記録信号に応じたデータを磁気記録媒体に記録する磁気ヘッドと、データ長に応じた期間に亘って、記録電流の電流値を、所定値を超えた状態に維持しながら、所定値に漸近させるように記録電流の波形を成形する波形成形部とをそなえてなることを特徴としている（請求項１）。
【０００７】
また、本発明の磁気記録装置は、記録信号に応じた記録電流を生成する記録回路と、記録電流によって駆動され記録信号に応じたデータを磁気記録媒体に記録する磁気ヘッドと、データ長に応じた期間に亘って、記録電流の電流値を、所定値を超えた状態に維持しながら、所定値に漸近させるように記録信号の波形を成形する波形成形部とをそなえてなることを特徴としている（請求項２）。
【０００８】
なお、記録電流のパルス幅を該データ長として検出するデータ長検出部をそなえて構成してもよく（請求項３）、又、波形成形部と記録回路とを同一基板上に形成してもよく（請求項４）、更に、波形成形部を集積回路としてそなえてもよい（請求項５）。
また、本発明の磁気記録用集積回路は、記録電流によって駆動され記録信号に応じたデータを磁気記録媒体に記録する磁気ヘッドを駆動する磁気記録用集積回路であって、記録信号に応じた記録電流を生成する記録回路と、データ長に応じた期間に亘って、記録電流の電流値を、所定値を超えた状態に維持しながら、所定値に漸近させるように記録電流の波形を成形する波形成形部とを一つのチップ上に集積して構成されたことを特徴としている（請求項６）。
【０００９】
【発明の実施の形態】
以下、図面を参照して本発明の実施の形態を説明する。
図１は本発明の一実施形態としての磁気記録装置の構成を示すブロック図、図２はそのデータ長検出部の構成を示すブロック図、図３はその波形成形部の具体的な構成を示す回路図である。
【００１０】
本磁気記録装置は、磁気テープ，フロッピーディスク，磁気ディスク等の磁気記録媒体に記録を行なうものであって、図１に示すように、記録回路１０，磁気ヘッド２０，データ長検出部３０および波形成形部４０をそなえて構成されている。
記録回路１０は、記録信号に応じた記録電流を生成するものであり、具体的には、図２および図３に示すように、ＨＤＩＣ（Head IC）１１により構成されている。このＨＤＩＣ１１は、磁気ヘッド２０を駆動する記録電流を形成するプリアンプであって、例えば図示しない上位装置から送信される記録信号に応じた記録電流を形成し、矩形波として発信するようになっている。
【００１１】
磁気ヘッド２０は、記録電流によって駆動され記録信号に応じたデータを磁気記録媒体に記録するものである。
データ長検出部３０は、記録電流のパルス幅をデータ長として検出するものであって、記録電流についてのデータ長に対する制御を行なうものであり、図２に示すように、カウンタ３１，ディレイ生成部３２，Ｄ−ＦＦ（D-Flip-Flop）３３およびカウンタテーブル３４をそなえて構成されている。
【００１２】
カウンタ３１は、入力される記録信号のパルス幅（データ長）をクロックによりカウントするものであって、データ列における連続する０および１の数をカウントするようになっている。更に、このカウンタ３１は、カウントしたこれらの数（カウント値）をカウンタテーブル３４に渡すようになっている。
ディレイ生成部３２は、制御するデータの遅延を合わせるものであり、その合わせたデータをＤ−ＦＦ３３に送るようになっている。Ｄ−ＦＦ３３は、ディレイ生成部３２から送信されたデータの頭を揃えるものであり、カウンタ３１に連動させてデータをＨＤＩＣ１１に送るようになっている。
【００１３】
そして、これらのディレイ生成部３２およびＤ−ＦＦ３３によりＨＤＩＣ１１から出力される記録電流と波形成形部４０との間において同期をとることができるようになっている。
カウンタテーブル３４は、カウンタ３１によってカウントされたカウント値をアドレスとし、このアドレスに対応する設定データを登録されるものであり、又、この設定データは後述する波形成形部４０の動作を制御するためのものである。
【００１４】
なお、この設定データは後述するように波形成形部の構成により異なるものであって、例えば、波形成形部を構成する素子に関する種々の係数等が用いられ、波形成形部の構成によって種々のデータが登録されるようになっている。
波形成形部４０は、記録電流のパルス幅（データ長）に応じた期間に亘って、記録電流の電流値を、磁化反転レベル（所定値）を超えた状態に維持しながら、磁化反転レベルに漸近させるように記録電流の波形を成形するものであり、更に、この成形した記録電流を磁気ヘッド２０に入力するようになっている。
【００１５】
なお、以下、波形成形部というときは、符号４０で示す波形成形部のほか、この符号４０に符号ａ〜ｅを付して示す波形成形部も含むが、波形成形部を代表して表記する場合には波形成形部４０として表記する。
図３に示す波形成形部４０ａは、積分回路４０１および減算器４０２をそなえて構成されており、記録電流の電流値をリニア関数的に変えるものである。
【００１６】
具体的には、積分回路４０１により形成される波形を、減算器４０２を用いてＨＤＩＣ１１から出力される波形から減算することにより、記録電流をセトリング後にレベル低下させて記録電流のをサグの波形に成形するものである。そして、この図３に示すような波形成形部４０ａにおいて、積分回路４０１を構成するコンデンサ，抵抗，コイル等の時定数を変化させることにより、記録電流を所望サグの波形に成形することができるようになっている。
【００１７】
なお、図３中において、回路に隣接して表示されている波形は、この回路における所定位置における記録信号等の波形を示すものであり、例えば、この図３中においては、ＨＤＩＣ１１からは矩形波が出力されていることを示しており、更に、このＨＤＩＣ１１から出力される矩形波に積分回路から生じる波形を重ね合わせることにより、磁気ヘッド２０にはサグ形状を有する記録電流が入力されることを示している。以下、図６〜図８，図１０，図１１についても同様にして示す。
【００１８】
ここで、カウンタテーブル３４に登録される設定データについてより詳細に説明する。磁気ヘッド２０を駆動する記録電流の矩形部分の最大幅（パルス幅；データ長）は何ビットにもなるが、この最大ビット幅をビット数で表わし、このビット数をアドレスに対応させてカウンタテーブル３４に登録する。例えば、最大ビット幅が８ビットである場合にはこの最大ビット幅を３ビットで表わすことができ、この３ビットで表わされる数をアドレスに対応させてカウンタテーブル３４に登録する。
【００１９】
そしてこのアドレスに対応した３ビット幅のデータが、波形成形部４０ａにおいてウェーティングをかけた状態で実際のデータに加えられ、波形成形部４０ａから記録ヘッド２０に送信される波形は、その振幅がデータ長に対応して磁化反転レベル（所定値）を超えた状態で減少し、データ長に対応したサグの波形に成形されるようになっている。
【００２０】
具体的には、予め、磁化反転する電流値（磁化反転レベル）を調べておくとともに、この磁化反転レベルを数％超える電流値を算出する。そして、記録電流が、磁化反転を行なった直後から次に磁化反転するまでの間、すなわち、１つのパルスを形成する間に、この電流値を磁化反転レベルに漸近させるように波形成形部４０ａを制御するような設定データを予め求めて、カウンタテーブル３４に登録しておくのである。
【００２１】
より具体的には、設定データにより、このウェーティングをかけた量が関数上に乗る形になるようする。なお、ここで用いられる関数の係数はユーザの都合に合わせて設定する。又、磁化反転する直前においては、磁化が反転しないレベルの記録電流振幅値でなければならないが、これもユーザの都合に合わせて設定する。
【００２２】
図４は本発明の一実施形態としての磁気記録装置において波形成形部により成形される記録電流の波形を説明するための図、図５は従来の磁気記録装置における記録ヘッドに入力される記録電流の波形と本磁気記録装置における波形成形部により成形される記録電流の波形とを比較して示す図である。
波形成形部４０ａによって成形される記録電流の波形は、図４に示すように、カウンタ３１により検出されたクロック数、すなわち、データ長に応じた期間に亘って、記録電流の電流値が予め求められた所定値である磁化反転レベルを超えた状態で（図４中の符号Ｂ参照）、且つ、このこの磁化反転レベル（図４中の符号Ｃ参照）に漸近するような波形を有している。
【００２３】
この波形成形部４０ａにより形成される記録電流の波形と、ＨＤＩＣ１１から出力される記録電流の波形とを、図５を参照しながら比較する。なお、図５中においては、従来の磁気記録装置における記録ヘッドに入力される記録電流の波形を実線で示すとともに、本磁気記録装置における波形成形部４０ａにより成形される記録電流の波形を破線で示している。
【００２４】
波形成形部４０ａは、前述のカウンタテーブル３４に登録されている設定データに基づいて、記録電流の波形を、図５に示すように、データ長（パルス幅；クロック数）に応じた期間（図５中のＡ点〜Ｂ点参照）に亘って、磁化反転レベル（図５中のＣ点参照）を超えた状態に維持しながら、この磁化反転レベルに漸近させるように形成することによりサグの波形を成形する。
【００２５】
そして、この際、波形成形部４０ａは、この記録電流が、記録信号の反転開始直前（図５中のｔ1参照）において、記録電流が磁化反転レベル（図５中のＣ点参照）よりも小さくならない（磁化状態が反転しない）程度のレベル（図５中のＢ点参照）、すなわち、記録電流の振幅レベルを、ＨＤＩＣ１１から出力された記録電流のセトリング後の値（図５中のＢ点参照）よりも小さく、且つ、磁化反転レベル（Ｃ点参照）よりも大きい値に保持するようになっている（Ｂ′点参照）。
【００２６】
これにより、磁化反転を行なう際、例えば立ち下がりの場合に、セトリング後のＢ点から立ち下がりを開始せずに、Ｂ点よりも電流値が低いＢ′点から立ち下がりを開始するので、その磁化反転が完了するまでに要する時間が短くなる。例えば、図５中においては、ＨＤＩＣ１１から出力される記録電流の場合には、Ｂ点からＤ点まで立ち下がるために時間ｔｆを要していたが、本実施形態の波形成形部４０ａから出力される記録電流の場合には、Ｂ′点からＤ′点まで立ち下がるために時間ｔｆ′でよい。
【００２７】
また、立ち上がりの場合においても、セトリング後のＥ点から立ち上がりを開始せずに、Ｅ点よりも電流値が高いＥ′点から立ち上がりを開始するので、磁化反転が完了するまでに要する時間が短くなる。例えば、図５中においては、ＨＤＩＣ１１から出力される記録電流の場合には、Ｅ点からＡ点まで立ち下がるために時間ｔｒを要していたが、本実施形態の波形成形部４０ａから出力される記録電流の場合には、Ｅ′点からＡ点まで立ち下がるために時間ｔｒ′でよい。
【００２８】
このような構成により、本磁気記録装置により磁気記録媒体にデータを記録する際には、図示しない上位装置等から入力された記録信号について、先ず、カウンタ３１によりそのパルス幅をカウントしてデータ長として検出し、そのデータ長（カウント値）をカウンタテーブル３４に送信する。
カウンタテーブル３４は送信されたデータ長に対応するアドレスに登録されている設定データを読み出し、波形成形部４０ａに送信する。
【００２９】
また、カウンタ３１を通過した記録信号はディレイ生成部３２においてその遅延を合わせられた後、Ｄ−ＦＦ３３において頭を揃えられ、その後ＨＤＩＣ１１に入力される。そして、ＨＤＩＣ１１はこの記録信号に応じたほぼ矩形の記録電流を生成し、波形成形部４０ａに入力する。
波形成形部４０ａは、カウンタテーブル３４からの設定データに基づいて、記録電流の波形を、磁化反転レベルを超えた状態に維持した状態で、この磁化反転レベルに漸近するように形成することにより、磁化反転レベルを超えた状態でサグの波形を成形することができるようにする。
【００３０】
これにより、記録電流において、その極性の反転に要する時間、すなわち、立ち上がりおよび立ち下がり時間を短縮することができる。特に、記録信号の振幅が大きい場合においても高速に磁化反転を行なうことができ、例えば、記録信号の転送速度を高速にした場合においても、磁気記録媒体への記録を妨げることがない。
【００３１】
また、記録電流を磁化反転レベルに漸近させることにより、ノイズがのりにくくなり、遷移ノイズやトラックエッジノイズを低減することもでき、更に、最低記録周波数と最高記録周波数で記録されるトラック幅を同程度にすることもできる。
さらに、記録電流の振幅レベルを下げた状態で記録を行なうので、消費電力を低減することもできる。
【００３２】
なお、本発明は上述した実施形態に限定されるものではなく、本発明の趣旨を逸脱しない範囲で種々変形して実施することができる。
例えば、図６は本発明の実施形態としての磁気記録装置における波形成形部の他の具体的な構成を示す回路図であり、上述した波形成形部４０ａに代えて、波形成形部４０ｂをそなえて構成するものである。
【００３３】
この波形成形部４０ｂは、ダイオード４０４を用いた直流回路により構成されており、記録電流の電流値を指数関数的もしくは対数関数的に変えるものである。具体的には、波形成形部４０ｂは、コンデンサ４０３，ダイオード４０４および抵抗４０５をそなえて構成されており、記録電流をサグの波形に成形するようになっている。
【００３４】
そして、このダイオード４０４を用いた直流回路により構成された波形成形部４０ｂにおいて、カウンタテーブル３４に予め登録された設定データに従って抵抗４０５の抵抗値等を変化させることにより、記録電流を所望のサグの波形に成形することができる。
なお、図６に示すような、ダイオード４０４を用いた直流回路により構成された波形成形部４０ｂをそなえた磁気記録装置においては、そのカウンタテーブル３４には、時定数等を変化させるためのデータが設定データとして登録される。
【００３５】
図７も本発明の実施形態としての磁気記録装置における波形成形部の他の具体的な構成を示す回路図であり、上述した波形成形部４０ａに代えて、波形成形部４０ｃをそなえて構成するものである。
この波形成形部４０ｃは、正弦波を記録電流に同期させることにより記録電流の電流値を三角関数的に変えるものであり、正弦波をＨＤＩＣ１１から出力される記録電流に加算する加算器４２をそなえて構成されている。そして、この波形成形部４０ｃにおいて、カウンタテーブル３４に予め登録された設定データに従って正弦波の波形，周波数，タイミング等を変化させることにより、記録電流のを所望のサグの波形に成形することができる。
【００３６】
なお、図７に示すような、ダイオードを用いた直流回路により構成された波形成形部４０ｃをそなえた磁気記録装置においては、そのカウンタテーブル３４には、正弦波の波形，周波数，タイミング等を変化させるためのデータが設定データとして登録される。
図８も本発明の実施形態としての磁気記録装置における波形成形部の他の具体的な構成を示す回路図であり、上述した波形成形部４０ａに代えて、波形成形部４０ｄをそなえて構成するものである。
【００３７】
この波形成形部４０ｄは、微分回路４０６および減算器４０７をそなえて構成されており、記録電流の電流値をリニア関数的に変えるものである。具体的には、微分回路４０６により形成される波形を、減算器４０７を用いてＨＤＩＣ１１から出力される波形から減算することにより、記録電流をセトリング後にレベル低下させて記録電流のをサグの波形に成形するものである。そして、この図８に示すような波形成形部４０ｄにおいて、微分回路４０６を構成するコンデンサ，抵抗，コイル等の時定数を変化させることにより、記録電流を所望のサグの波形に成形することができるようになっている。
【００３８】
なお、図８に示すような、微分回路回路４０６をそなえて構成された波形成形部４０ｄをそなえた磁気記録装置においては、そのカウンタテーブル３４には、微分回路を構成するコンデンサ，抵抗，コイル等の時定数を変化させるためのデータが設定データとして登録される。
また、図９は本発明の一実施形態としての磁気記録装置におけるデータ長検出部の他の構成を示すブロック図、図１０および図１１はそれぞれ本発明の実施形態としての磁気記録装置における波形成形部の他の具体的な構成を示す回路図であり、上述したデータ長検出部３０からの出力を、一旦、波形成形部４０の変換器４１に入力した後、加算器４２を用いてＨＤＩＣ１１から出力される記録電流に加算するものである。
【００３９】
この図９に示す変換器４１をそなえる波形成形部４０としては、例えば、図１０に示すようなＡ／Ｄ変換器４１ａをそなえた波形成形部４０ｅが考えられ、例えば正弦波をＡ／Ｄ変換器４１ａに通してデジタル信号に変換した後、ＨＤＩＣ１１に入力される記録信号に同期させ、このデジタル化した正弦波を、ＨＤＩＣ１１から出力される矩形波に加算機４２を用いて加算するようになっており、これにより記録電流を、ステップ関数的に変えることによりそのサグの波形を成形することができ、セトリング後にレベル低下させることができる。
【００４０】
また、変換器４１をそなえる波形成形部４０の他の例としては、図１１に示すような対数増幅器４１ｂをそなえた波形成形部４０ｆが考えられ、データ長検出部３０から入力された記録波形を対数増幅器４１ｂに通した後、ＨＤＩＣ１１から出力される記録電流に同期させて、ＨＤＩＣ１１から出力される矩形波に加算器４２を用いて加算するようになっており、これにより記録電流を、双曲線関数的に変えることによりそのサグの波形を成形することができ、セトリング後にレベル低下させることができる。
【００４１】
すなわち、これらによっても、記録電流のパルス幅（データ長）に応じた期間に亘って、記録電流の電流値を、磁化反転レベル（所定値）を超えた状態に維持しながら、磁化反転レベルに漸近させるように記録電流の波形を成形することができ、上述の波形成形部４０ａをそなえた磁気記録装置と同様の作用効果を得ることができる。
【００４２】
データ長に応じた期間に亘って、記録信号の電流値を、磁化反転レベル（所定値）超えた状態に維持しながら、この磁化反転レベルに漸近させるように記録電流の波形を成形する波形成形部を記録回路の上流側に配設してもよく、これによっても上述した磁気記録装置と同様の作用効果を得ることができる。
図１２は本発明の他の実施形態としての磁気記録装置の構成を示すブロック図である。上述した各実施形態においては、波形成形部４０をＨＤＩＣ１１よりも下流側に配設しているが、それに限定するものではなく、この図１２に示すように、データ長検出部３０によって検出されたデータ長に応じた期間に亘って、記録信号の電流値を、所定値（磁化反転レベル）を超えた状態に維持しながら、この磁化反転レベルに漸近させるように記録電流の波形を成形する波形成形部４０′をＨＤＩＣ１１（記録回路１０）の上流側に配設してもよい。
【００４３】
そして、この図１２に示す磁気記録装置においては、波形成形部４０′を用いて記録信号をサグの形状に成形し、この成形した記録信号を記録回路１０に入力することにより、上述した各実施形態と同様の効果を得ることができる。
なお、この場合において、波形成形部４０′は、上述した波形成形部４０ａ〜４０ｆのいずれの構成をそなえてもよく、又、上記意外の種々の構成をそなえてもよい。
【００４４】
また、波形成形部４０，４０′と記録回路１０とは同一基板上に形成してもよく、これにより、磁気記録装置を小型化することができる。
さらに、波形成形部４０，４０′を集積回路としてそなえてもよく、これによっても磁気記録装置を小型化することができる。
また、上述した記録回路１０および波形成形部４０，４０′を一つのチップ上に集積して構成することにより磁気記録用集積回路を形成してもよく、これによっても磁気記録装置を小型化することができる。なお、この際、このチップ上に記録電流のパルス幅をデータ長として検出するデータ長検出部３０をそなえてもよく、又、この場合においても、波形成形部４０，４０′の構成は、上述の実施形態に示したごとく種々変形して実施することができる。
【００４５】
なお、本発明の各実施形態が開示されていれば、当業者によって製造することが可能である。
また、上述した実施形態においては、記録電流のパルス幅をデータ長として検出するデータ長検出部３０をそなえ、このデータ長検出部３０によって検出されたデータ長に基づいてカウンタテーブル３４に登録された設定データを用いて波形成形部４０，４０′の動作を制御しているが、それに限定するものではなく、記録電流が、磁化反転後に磁化反転レベルを超えた状態でこの磁化反転レベルに漸近するように構成されていればよい。
【００４６】
【発明の効果】
以上詳述したように、本発明の磁気記録装置および磁気記録用集積回路によれば、以下の効果ないし利点がある。
（１）記録電流において、その極性の反転に要する時間、すなわち、立ち上がりおよび立ち下がり時間を短縮することができ、特に、記録信号の振幅が大きい場合であっても高速に磁化反転を行なうことができるので、例えば、記録信号の転送速度を高速にした場合においても、磁気記録媒体への記録を妨げることがない（請求項１〜請求項６）。
【００４７】
（２）記録電流を磁化反転レベルに漸近させるので、ノイズがのりにくくなり、遷移ノイズやトラックエッジノイズを低減することもできる（請求項１〜請求項６）。
（３）最低記録周波数と最高記録周波数で記録されるトラック幅を同程度にすることができる（請求項１〜請求項３，請求項６）。
【００４８】
（４）記録電流の振幅レベルを下げた状態で記録を行なうので、消費電力を低減することができる（請求項１〜請求項３，請求項６）。
（５）磁気記録装置を小型化することができる（請求項４〜請求項６）。
【図面の簡単な説明】
【図１】本発明の一実施形態としての磁気記録装置の構成を示すブロック図である。
【図２】本発明の一実施形態としての磁気記録装置におけるデータ長検出部の構成を示すブロック図である。
【図３】本発明の一実施形態としての磁気記録装置における波形成形部の具体的な構成を示す回路図である。
【図４】本発明の一実施形態としての磁気記録装置において波形成形部により成形される記録電流の波形を説明するための図である。
【図５】従来の磁気記録装置における記録ヘッドに入力される記録電流の波形と本磁気記録装置における波形成形部により成形される記録電流の波形とを比較して示す図である。
【図６】本発明の実施形態としての磁気記録装置における波形成形部の他の具体的な構成を示す回路図である。
【図７】本発明の実施形態としての磁気記録装置における波形成形部の他の具体的な構成を示す回路図である。
【図８】本発明の実施形態としての磁気記録装置における波形成形部の他の具体的な構成を示す回路図である。
【図９】本発明の一実施形態としての磁気記録装置におけるデータ長検出部の他の構成を示すブロック図である。
【図１０】本発明の実施形態としての磁気記録装置における波形成形部の他の具体的な構成を示す回路図である。
【図１１】本発明の実施形態としての磁気記録装置における波形成形部の他の具体的な構成を示す回路図である。
【図１２】本発明の他の実施形態としての磁気記録装置の構成を示すブロック図である。
【符号の説明】
１０  記録回路
１１  ＨＤＩＣ（記録回路）
２０  磁気ヘッド
３０  データ長検出部
３１  カウンタ
３２  ディレイ生成部
３３  Ｄ−ＦＦ
３４  カウンタテーブル
４０，４０ａ，４０ｂ，４０ｃ，４０ｄ，４０ｅ，４０ｆ，４０′  波形成形部
４１  変換器
４１ａ  Ａ／Ｄ変換器
４１ｂ  対数増幅器
４２  加算器
４０１  積分回路
４０２，４０７  減算器
４０３  コンデンサ
４０４  ダイオード
４０５  抵抗
４０６  積分回路
【図１】
0004095749.tif 000002
【図２】
0004095749.tif 000003
【図３】
0004095749.tif 000004
【図４】
0004095749.tif 000005
【図５】
0004095749.tif 000006
【図６】
0004095749.tif 000007
【図７】
0004095749.tif 000008
【図８】
0004095749.tif 000009
【図９】
0004095749.tif 000010
【図１０】
0004095749.tif 000011
【図１１】
0004095749.tif 000012
【図１２】
0004095749.tif 000013